(57)【要約】【課題】      粘泥土を履物の底面とその周縁部に付着させず、又滑り止め溝にめり込んだ粘湿性を帯びた泥土を地表面に散乱させないことを目的とし、取扱いが簡便で、使用方法が容易な具を提供する。【解決手段】  任意の履物の底面とその周縁部に粘泥土の付着を防止するために、靴状底板、靴状前部覆い、靴状側部覆いを一体形状に形成し、靴状後部覆いを分離形状にして、本発明を後開きにすることで履物が入れ易く出し易く形成する。滑り止め泥切り突起、外れ防止面ファスナ−、スパッツ留めを設けることによって本体を形成し、その使用に際しては、粘泥土付着防止靴具を操作することによって、履物の粘泥土の付着、散乱を防ぎ、また本発明の泥土の除去処理の簡便さを図ることで解決手段とした。【選択図】    図１３
2006141925.tif 000002
【特許請求の範囲】
【請求項１】
任意の靴底下にあてがう靴状底板（１）と、靴状底板（１）の周縁部から任意の靴の前部を覆う靴状前部覆い（２）と、前記靴状底板（１）の周縁部から任意の靴の側部を覆う靴状側部覆い（３）と、前記靴状前部覆い（２）と前記靴状側部覆い（３）を装着した状態で足に固定する固定手段とよりなる粘泥土付着防止靴具。
【請求項２】
靴状底板（１）の周縁部から任意の靴の後部を覆う靴状後部覆い（４）を具備することを特徴とする請求項１記載の粘泥土付着防止靴具。
【請求項３】
少なくとも固定手段以外の各部材が防水性素材よりなるものであることを特徴とする請求項１又は請求項２記載の粘泥土付着防止靴具。
【請求項４】
靴状底板（１）下面に滑り止めや泥切りのための滑り止め泥切り突起（５）を複数個設けたことを特徴とする請求項１、請求項２又は請求項３記載の粘泥土付着防止靴具。
【発明の詳細な説明】
【技術分野】
【０００１】  本発明は、任意の履物の上に装着することによって、履物に粘泥土が付着することを防ぎ、本発明に付着する粘泥土を処理し易くすることを目的とする粘泥土付着防止靴具に関するものである。
【背景技術】
【０００２】  従来より、外出用の短靴、長靴そして地下足袋等の履物類は、公、私の別、行動の種類、作業の種類によって履き分ける。また天候の良し、悪しによる地表面の粘性、湿潤性、乾性に対応して履き分ける。
従来品の構造は、粘性、湿潤性を帯びた地表面用には、風雨、風雪や泥撥ねを防ぐため、身長や踵が高く、底面の滑り止め溝幅が細くて深い、足首全体を包み込むゴム製又は合成樹脂製がある。乾性な地表面用には、足蒸れを防ぐため、身長や踵が低く、底面の滑り止め溝幅が太くて浅い、革製又は合成繊維製などがある。
【発明の開示】
【発明が解決しようとする課題】
【０００３】  これらには、次のような問題点があった。
（イ）  粘泥土が短靴、長靴、地下足袋等の履物底面及びその周縁部に付着し、滑り止め溝にめり込む。
（ロ）  めり込んだ粘泥土がきれいな地表面上に散乱する。
（ハ）  履物底面及びその周縁部に付着するだけでなく、滑り止め溝にもめり込む粘泥土を洗い落とす、掻き落とす、叩き落とす等の除去は面倒で手間や時間が掛り、汚く厄介である。
本発明は、これらの問題点を解決するためになされたものである。
【課題を解決するための手段】
【０００４】  任意の履物（６）の底面とその周縁部に粘泥土の付着を防止するため、任意の靴底下にあてがう靴状底板（１）を設け、靴状底板（１）の周縁部から任意の靴の前部を覆う靴状前部覆い（２）を設け、靴状底板（１）の周縁部から任意の靴の側部を覆う靴状側部覆い（３）を設け、靴状底板（１）、靴状前部覆い（２）及び靴状側部覆い（３）によって形成される本発明を任意の履物（６）に装着した状態で足に固定する固定手段とより構成される。また靴状底板（１）の周縁部から任意の靴の後部を覆う靴状後部覆い（４）を具備し、靴状底板（１）底面に滑り止め泥切り突起（５）を設けることにより構成される。
本発明は、以上の構成よりなる粘泥土付着防止靴具である。
【発明の効果】
【０００５】  本発明の効果は、粘性、湿潤性、乾性を帯びた地表面に粘泥土付着防止靴具を操作することで、
（イ）  いま履いている覆物に装着できるので、履物を覆き替える必要がない。
（ロ）  左右同型状にできるので左右の足を選ばない。
（ハ）  本発明を前開き又は後ろ開きにすることで、履物が入れ易く出し易い。
（ニ）  本発明を装着することで、履物だけでなく素足も汚さないので地表面が粘泥土状になっても園芸、畑作業が安心してできる。
（ホ）  防水性素材使用で本発明の内外を気にすることなく洗うことができる。
（ヘ）  そのために本発明に付着した粘泥土を洗い落とす、掻き落とす、叩き落とす等の除去作業が簡単且つ楽である。
（ト）  従ってきれいな地表面に粘泥土が散乱せず、散乱することがない。
（ち）  本発明の滑り止め泥切り突起で溝なしでも滑らない。
（リ）  臑当てをスパッツ留めに引き掛けて泥避けができる。
以上のように、粘性、湿潤性、乾性を帯びた泥土を、任意の履物の底面とその周縁部に付着させず、滑り止め溝にめり込ませないための成型物を提供すべく発明されたものである。
【発明を実施するための最良の形態】
【０００６】  本発明の実施に当たって各々の構造を詳しく説明する。
（イ）  実施例  １
図  １においてその構成を説明すれば、任意の履物（６）の底面とその周縁部及び滑り止め溝に粘泥土が付着することを防止する目的のために、任意の靴底下にあてがう靴状底板（１）と、靴状底板（１）の周縁部から任意の靴の前部を覆う靴状前部覆い（２）と、靴状底板（１）の周縁部から任意の靴の側部を覆う靴状側部覆い（３）を設ける。靴状底板（１）、靴状前部覆い（２）、及び靴状側部覆い（３）により形成する本発明を任意の履物（６）に装着し、足に固定するため、前甲部（８）より踝部（９）の側面に至る形状を形成する靴状前部覆い（２）と、踵部（１０）より踝部（９）の側面に至る形状を形成する靴状側部覆い（３）の踝部（９）で交差する両覆い面の靴状前部覆い（２）の裏面側と、靴状側部覆い（３）の表面側に、外れ防止面ファスナ−（１１）を設けて固定手段とし、本発明を固定し保持する。また靴状底板（１）底面に滑り止め泥切り突起（５）を設けることにより構成される、任意の履物（６）の上に装着する成型物を形成する構造を設けることによって、本体を形成する。
本発明は以上のような構造で、これを使用するときは、例えば図  ２及び図  ４において、任意の靴底下にあてがう靴状底板（１）、靴状底板（１）の周縁部から任意の靴の前部を覆う靴状前部覆い（２）、及び靴状底板（１）の周縁部から任意の靴の側部を覆う靴状側部覆い（３）を設けた本発明に任意の履物（６）を差し込み、踝部（９）で交差する靴状前部覆い（２）の裏面側と、靴状側部覆い（３）の表面側に設けた外れ防止面ファスナ−（１１）を固定手段として図  ３及び図  ５のように両覆い面上で接合接続し、本発明を固定し保持する。靴状底板（１）底面に設けた滑り止め泥切り突起（５）が粘性、湿潤性、或いは乾性を帯びた地表面を踏み締め、履物（６）を保持する。本発明を使用しないときは、踝部（９）で交差する靴状前部覆い（２）と靴状側部覆い（３）の両覆い面を接合接続する外れ防止面ファスナ−（１１）を剥離し、本発明より履物（６）を外す。
本発明は左右対称型又は左右非対称型（同型状）が考えられる。
靴状底板、靴状前部覆い、靴状側部覆い、外れ防止面ファスナ−、外れ防止バンド、踵覆い、滑り止め泥切り突起は硬軟質合成樹脂、合成ゴム、防水性合成繊維の材質を用いるのが最も望ましい。
（ロ）  実施例  ２
図  ６においてその構成を説明すれば、任意の履物（６）の底面とその周縁部及び滑り止め溝に粘泥土が付着することを防止する目的のために、任意の靴底下にあてがう靴状底板（１）と、靴状底板（１）の周縁部から任意の靴の前部を覆う靴状前部覆い（２）と、靴状底板（１）の周縁部から任意の靴の側部を覆う靴状側部覆い（３）と、靴状底板（１）の周縁部から任意の靴の後部を覆う靴状後部覆い（４）を設ける。靴状前部覆い（２）は爪先部（７）で靴状底板（１）と接続し前覆いとする。靴状底板（１）と靴状側部覆い（３）と靴状後部覆い（４）は一体形状に形成し、前覆いと分離形状に形成し後覆いとする。靴状前部覆い（２）の前覆いと、靴状底板（１）、靴状側部覆い（３）、及び靴状後部覆い（４）の後覆いにより形成する本発明を任意の履物（６）に装着し、足に固定するため、踝部（９）より前甲部（８）、及び爪先部（７）の側面に至る形状を形成する靴状側部覆い（３）と、踵部（１０）より踝部（９）の側面に至る形状を形成する靴状後部覆い（４）の両覆いと、前甲部（８）より踝部（９）の側面に至る形状を形成する靴状前部覆い（２）の前甲部（８）で交差する靴状前部覆い（２）の裏面側と、靴状側部覆い（３）の表面側に、外れ防止面ファスナ−（１１）を設けて固定手段とし、本発明を固定し保持する。また靴状底板（１）底面に滑り止め泥切り突起（５）を設け、靴状前部覆い（２）、靴状側部覆い（３）、及び靴状後部覆い（４）の上部にスパッツ留め（１２）を設けることにより構成される、任意の履物（６）の上に装着する成型物を形成する構造を設けることによって、本体を形成する。
本発明は以上のような構造で、これを使用するときは、例えば図  ７、図  ９及び図１０において、任意の靴底下にあてがう靴状底板（１）と、靴状底板（１）の周縁部から任意の靴の前部を覆う靴状前部覆い（２）を前覆いとし、靴状底板（１）から任意の靴の側部を覆う靴状側部覆い（３）と、靴状底板（１）の周縁部から任意の靴の後部を覆う靴状後部覆い（４）を一体形状にし、前覆いと分離形状に形成し後覆いとする。任意の履物（６）の後部を後覆いに入れ込み、前開きの前覆いを前定位置に戻し、踝部（９）より前甲部（８）の側面に至る靴状側部覆い（３）と、前甲部（８）より踝部（９）に至る靴状前部覆い（２）が前甲部位置で交差する靴状側部覆い（３）の表面側と、靴状前部覆い（２）の裏面側に、外れ防止面ファスナ−を設けて固定手段として図  ８及び図１１のように両覆い面を接合接続し、本発明を固定し保持する。
靴状底板（１）底面に設けた滑り止め泥切り突起（５）が粘性、湿潤性、或いは乾性を帯びた地表面を踏み締め、履物（６）を保持する。スパッツ留め（１２）に臑当て（１３）を引き掛け泥避けとする。本発明を使用しないときは、前甲部位置で交差する靴状前部覆い（２）と靴状側部覆い（３）の両覆い面を接合接続する外れ防止面ファスナ−（１１）を剥離し、本発明より履物（６）を外す。
本発明は左右対称型又は左右非対称型（同型状）が考えられる。
靴状底板、靴状前部覆い、靴状側部覆い、靴状後部覆い、外れ防止面ファスナ−、滑り止め泥切り突起、スパッツ留めは硬軟質合成樹脂、合成ゴム、防水性合成繊維の材質を用いるのが最も望ましい。
（ハ）  実施例  ３
図１２においてその構成を説明すれば、任意の履物（６）の底面とその周縁部及び滑り止め溝に粘泥土が付着することを防止する目的のために、任意の靴底下にあてがう靴状底板（１）と、靴状底板（１）の周縁部から任意の靴の前部を覆う靴状前部覆い（２）と、靴状底板（１）の周縁部から任意の靴の側部を覆う靴状側部覆い（３）と、靴状底板（１）の周縁部から任意の靴の後部を覆う靴状後部覆い（４）を設ける。靴状底板（１）と靴状前部覆い（２）と靴状側部覆い（３）は一体形状に形成し前覆いとする。また靴状後部覆い（４）は踵部（１０）で靴状底板（１）と接続し、前覆いと分離形状に形成し後覆いとする。靴状底板（１）、靴状前部覆い（２）、及び靴状側部覆い（３）の前覆いと、靴状後部覆い（４）の後覆いにより形成する本発明を任意の履物（６）に装着し、足に固定するため、前甲部（８）より踝部（９）の側面に至る形状を形成する靴状前部覆い（２）と、踵部（１０）より踝部（９）から爪先部（７）の側面に至る形状を形成する靴状側部覆い（３）の両覆いと、踵部（１０）より踝部（９）の側面に至る形状を形成する靴状後部覆い（４）の踝部（９）で交差する靴状側部覆い（３）の裏面側と、靴状後部覆い（４）の表面側に、外れ防止面ファスナ−（１１）を設けて固定手段とし、本発明を固定し保持する。また靴状底板（１）底面に滑り止め泥切り突起（５）を設け、靴状前部覆い（２）、靴状側部覆い（３）、及び靴状後部覆い（４）の上部にスパッツ留め（１２）を設けることにより構成される、任意の履物（６）の上に装着する成型物を形成する構造を設けることによって、本体を形成する。
本発明は以上のような構造で、これを使用するときは、例えば図１３、図１５及び図１６において、任意の靴底下にあてがう靴状底板（１）、靴状底板（１）の周縁部から任意の靴の前部を覆う靴状前部覆い（２）、及び靴状底板（１）の周縁部から任意の靴の側部を覆う靴状側部覆い（３）を一体形状に形成し前覆いとし、また靴状底板（１）の周縁部から任意の靴の後部を覆う靴状後部覆い（４）は踵部（１０）で靴状底板（１）と接続、前覆いと分離形状に形成し後覆いとする。任意の履物（６）の前部を前覆いに差し込み、後ろ開きの後覆いを後定位置に戻し、踝部位置の靴状側部覆い（３）と、踵部（１０）より踝部（９）の側面に至る靴状後部覆い（４）が踝部位置で交差する靴状側部覆い（３）の裏面側と、靴状後部覆い（４）の表面側に、外れ防止面ファスナ−（１１）を設けて固定手段として図１４及び図１７のように両覆い面を接合接続し、本発明を固定し保持する。靴状底板（１）底面に設けた滑り止め泥切り突起（５）が粘性、湿潤性、或いは乾性を帯びた地表面を踏み締め、履物（６）を保持する。スパッツ留め（１２）に臑当て（１３）を引き掛け泥避けとする。本発明を使用しないときは、踝部位置で交差する靴状側部覆い（３）と靴状後部覆い（４）の両覆い面を接合接続する外れ防止面ファスナ−（１１）を剥離し、本発明より履物（６）を外す。本発明は左右対称型又は左右非対称型（同型状）が考えられる。
実施例  ２、及び実施例  ３の併用も考えられる。
靴状底板、靴状前部覆い、靴状側部覆い、靴状後部覆い、外れ防止面ファスナ−、滑り止め泥切り突起、スパッツ留めは硬軟質合成樹脂、合成ゴム、防水性合成繊維の材質を用いるのが最も望ましい。
【図面の簡単な説明】
【０００７】
【図１】    本発明の正面図
【図２】    本発明の実施例の正面図
【図３】    本発明の実施例の正面図
【図４】    本発明の実施例の平面図
【図５】    本発明の実施例の平面図
【図６】    本発明の他の実施例を示す正面図
【図７】    本発明の他の実施例を示す正面図
【図８】    本発明の他の実施例を示す正面図
【図９】    本発明の他の実施例を示す正面図
【図１０】    本発明の他の実施例を示す平面図
【図１１】    本発明の他の実施例を示す平面図
【図１２】    本発明の他の実施例を示す正面図
【図１３】    本発明の他の実施例を示す正面図
【図１４】    本発明の他の実施例を示す正面図
【図１５】    本発明の他の実施例を示す正面図
【図１６】    本発明の他の実施例を示す平面図
【図１７】    本発明の他の実施例を示す平面図
【図１８】    本発明の他の実施例を示す右側面図
【図１９】    本発明の他の実施例を示す底面図
【図２０】    本発明の他の実施例を示す左右対称型の平面図（左）
【図２１】    本発明の他の実施例を示す左右対称型の平面図（右）
【図２２】    本発明の他の実施例を示す左右非対称型（同型状）の平面図（左）
【図２３】    本発明の他の実施例を示す左右非対称型（同型状）の平面図（右）
【符号の説明】
【０００８】      １    靴状底板
２    靴状前部覆い
３    靴状側部覆い
４    靴状後部覆い
５    滑り止め泥切り突起
６    履物
７    爪先部
８    前甲部
９    踝部
１０    踵部
１１    外れ防止面ファスナ−
１２    スパッツ留め
１３    臑当て
１４    ジッパ−
１５    伸縮ゴムテ−プ
１６    足
１７    外れ防止バンド
１８    踵覆い
１９    本発明の左右対称型の左
２０    本発明の左右対称型の右
２１    本発明の左右非対称型（同型状）の左
２２    本発明の左右非対称型（同型状）の右
【図１】
2006141925.tif 000003
【図２】
2006141925.tif 000004
【図３】
2006141925.tif 000005
【図４】
2006141925.tif 000006
【図５】
2006141925.tif 000007
【図６】
2006141925.tif 000008
【図７】
2006141925.tif 000009
【図８】
2006141925.tif 000010
【図９】
2006141925.tif 000011
【図１０】
2006141925.tif 000012
【図１１】
2006141925.tif 000013
【図１２】
2006141925.tif 000014
【図１３】
2006141925.tif 000015
【図１４】
2006141925.tif 000016
【図１５】
2006141925.tif 000017
【図１６】
2006141925.tif 000018
【図１７】
2006141925.tif 000019
【図１８】
2006141925.tif 000020
【図１９】
2006141925.tif 000021
【図２０】
2006141925.tif 000022
【図２１】
2006141925.tif 000023
【図２２】
2006141925.tif 000024
【図２３】
2006141925.tif 000025